(57)【要約】【課題】  利用者の生体情報を測定するための装置を利用者に装着せずに連続的に利用者の健康を管理することができるモニタ、健康管理システム及び健康管理方法を提供する。【解決手段】  モニタ３０は、利用者Ｐが閲覧するためのモニタである。モニタ３０は、マイクロ波ドップラーセンサ１０を備える。マイクロ波ドップラーセンサ１０は、体動情報を利用者Ｐに非接触で測定する。体動情報は、利用者の体の動きに関する情報である。【選択図】      図１
2005237568.tif 000002
【特許請求の範囲】
【請求項１】
利用者が閲覧するためのモニタ（３０，１３０，２３０，３０ａ，・・・）であって、
前記利用者の体の動きに関する情報である体動情報を、前記利用者に非接触で測定する測定装置（１０，１１０，１０ａ，・・・）を備えた、
モニタ（３０，１３０，２３０，３０ａ，・・・）。
【請求項２】
前記測定装置（１０，１１０，１０ａ，・・・）は、
前記利用者に向けてマイクロ波を送信する送信部（１１，１１ａ，・・・）と、
前記利用者で前記マイクロ波が反射したものである反射波を受信する受信部（１２，１２ａ，・・・）と、
を有する、
請求項１に記載のモニタ（３０，１３０，２３０，３０ａ，・・・）。
【請求項３】
前記送信部（１１，１１ａ，・・・）は、前記利用者の心臓付近に向けて前記マイクロ波を送信し、
前記反射波は、前記利用者の心臓付近の体表面で前記マイクロ波が反射したものである、
請求項２に記載のモニタ（３０，１３０，２３０，３０ａ，・・・）。
【請求項４】
前記測定装置（１０，１１０，１０ａ，・・・）は、
前記マイクロ波の信号及び前記反射波の信号の少なくとも一方を増幅する増幅部（１５，１５ａ，・・・）をさらに有する、
請求項２又は３に記載のモニタ（３０，１３０，２３０，３０ａ，・・・）。
【請求項５】
前記測定装置（１０，１０ａ，・・・）は、
前記マイクロ波に関する信号に対する前記反射波に関する信号の変化に関する情報である変化情報を演算する演算部（１６，１６ａ，・・・）をさらに有する、
請求項２から４のいずれか１項に記載のモニタ（３０，２３０，３０ａ，・・・）。
【請求項６】
前記測定装置（１０，１０ａ，・・・）は、
前記変化情報に基づいて、所定の周波数帯域の情報である帯域情報を抽出する抽出部（１４，１４ａ，・・・）をさらに有する、
請求項５に記載のモニタ（３０，２３０，３０ａ，・・・）。
【請求項７】
前記測定装置（１０，１０ａ，・・・）は、
前記帯域情報に基づいて、前記利用者の心拍に関する情報である心拍情報を分析する分析部（１７，１７ａ，・・・）をさらに有する、
請求項６に記載のモニタ（３０，２３０，３０ａ，・・・）。
【請求項８】
前記心拍情報を表示する表示装置（２０，２０ａ，・・・）をさらに備えた、
請求項７に記載のモニタ（３０，２３０，３０ａ，・・・）。
【請求項９】
請求項７又は８に記載のモニタ（３０，２３０，３０ａ，・・・）と、
前記利用者からの入力を受け付ける入力機器（７０，２７０，７０ａ，・・・）と、
前記心拍情報を記憶する記憶機器（５０，５０ａ，・・・）と、
を備え、
前記利用者は、複数存在し、
前記入力機器（７０，２７０，７０ａ，・・・）は、前記利用者を識別するための情報である識別情報が入力され、
前記記憶機器（５０，５０ａ，・・・）は、前記心拍情報を前記利用者毎に記憶する、
健康管理システム（１，２００，３００）。
【請求項１０】
請求項２から４のいずれか１項に記載のモニタ（３０，１３０，２３０，３０ａ，・・・）と、
前記モニタ（３０，１３０，２３０，３０ａ，・・・）を制御する制御機器（４０，１４０，２４０，４０ａ，・・・）と、
を備え、
前記測定装置（１０，１０ａ，・・・）又は前記制御機器（１４０）は、
前記マイクロ波に関する信号に対する前記反射波に関する信号の変化に関する情報である変化情報を演算する演算部（１６，１４４，１６ａ，・・・）を有する、
健康管理システム（１，１００、２００，３００）。
【請求項１１】
前記測定装置（１０，１０ａ，・・・）又は前記制御機器（１４０）は、
前記変化情報に基づいて、所定の周波数帯域の情報である帯域情報を抽出する抽出部（１４，１４２，１４ａ，・・・）をさらに有する、
請求項１０に記載の健康管理システム（１，１００、２００，３００）。
【請求項１２】
前記測定装置（１０，１０ａ，・・・）又は前記制御機器（１４０）は、
前記帯域情報に基づいて、前記利用者の心拍に関する情報である心拍情報を分析する分析部（１７，１４５，１７ａ，・・・）をさらに有する、
請求項１１に記載の健康管理システム（１，１００、２００，３００）。
【請求項１３】
前記利用者からの入力を受け付ける入力機器（７０，２７０，７０ａ，・・・）と、
前記心拍情報を記憶する記憶機器（５０，５０ａ，・・・）と、
をさらに備え、
前記利用者は、複数存在し、
前記入力機器（７０，２７０，７０ａ，・・・）は、前記利用者を識別するための情報である識別情報が入力され、
前記記憶機器（５０，５０ａ，・・・）は、前記心拍情報を前記利用者毎に記憶する、
請求項１２に記載の健康管理システム（１，１００，２００，３００）。
【請求項１４】
前記利用者からの入力を受け付ける入力機器（７０ａ，・・・）と、
複数の前記利用者の前記心拍情報をネットワーク（３８０）経由で管理する管理機器（３９０）と、
をさらに備え、
前記利用者は、複数存在し、
前記入力機器（７０ａ，・・・）は、前記利用者を識別するための情報である識別情報が入力される、
請求項１２又は１３に記載の健康管理システム（３００）。
【請求項１５】
利用者が閲覧するためのモニタ（３０，１３０，２３０，３０ａ，・・・）において行われる健康管理方法であって、
前記利用者の体の動きに関する情報である体動情報が、前記利用者に非接触で測定される測定ステップを備え、
前記測定ステップは、
前記利用者に向けてマイクロ波が送信される送信ステップと、
前記利用者で前記マイクロ波が反射されたものである反射波が受信される受信ステップと、
を有する、
健康管理方法。
【発明の詳細な説明】
【技術分野】
【０００１】
本発明は、モニタ、健康管理システム及び健康管理方法に関する。
【背景技術】
【０００２】
従来から、モニタの利用者の健康を管理するためのシステムが提案されている（例えば、特許文献１，２参照。）。
【特許文献１】特開２００１−００５８９６（第１−３頁、第１−６図）
【特許文献２】特開２００１−３５６８４９（第１−５頁、第１−３図）
【発明の開示】
【発明が解決しようとする課題】
【０００３】
しかし、特許文献１の技術では、利用者からの入力を受け付ける入力機器に利用者が接触することにより、利用者の生体情報が測定されているため、連続的に利用者の健康を管理することが困難になることがある。例えば、モニタがテレビである場合、利用者が入力機器に接触する頻度が低いことがあるので、連続的に利用者の健康を管理することが困難になりやすい。
【０００４】
また、特許文献２の技術では、利用者の生体情報を測定するための装置が利用者に装着されることにより、利用者の生体情報が測定されているため、利用者に煩雑であり利用者の生体情報が十分に測定されないことがある。例えば、モニタがパソコンである場合、利用者が忙しいときに、利用者の生体情報を測定するための装置が利用者に装着されないことがある。
【０００５】
そこで、本発明の課題は、利用者の生体情報を測定するための装置を利用者に装着せずに連続的に利用者の健康を管理することができるモニタ、健康管理システム及び健康管理方法を提供することにある。
【課題を解決するための手段】
【０００６】
請求項１に係るモニタは、利用者が閲覧するためのモニタであって、測定装置を備える。測定装置は、体動情報を利用者に非接触で測定する。体動情報は、利用者の体の動きに関する情報である。
このモニタでは、利用者による閲覧が行われる。測定装置が、体動情報を利用者に非接触で測定する。
【０００７】
したがって、体動情報を利用者に非接触で測定するので、利用者の心拍による微弱な体動を測定することができれば、利用者の心拍に関する情報である心拍情報を利用者に非接触で測定することができる。このため、利用者の生体情報を測定するための装置を利用者に装着せずに連続的に利用者の健康を管理することができる。
なお、心拍情報は、例えば、単位時間における心拍数に関する情報、単位時間における呼吸数に関する情報、心拍間隔に関する情報、覚醒度に関する情報、疲労度に関する情報、ストレス度に関する情報などである。
【０００８】
請求項２に係るモニタは、請求項１に記載のモニタであって、測定装置は、送信部と受信部とを有する。送信部は、利用者に向けてマイクロ波を送信する。受信部は、反射波を受信する。反射波は、利用者でマイクロ波が反射したものである。
このモニタでは、利用者による閲覧が行われる。測定装置の送信部が、利用者に向けてマイクロ波を送信する。測定装置の受信部が、反射波を受信する。
【０００９】
したがって、反射波を受信して分析することができるので、利用者の心拍による微弱な体動を測定することができれば、心拍情報を利用者に非接触で測定することができる。
請求項３に係るモニタは、請求項２に記載のモニタであって、送信部は、利用者の心臓付近に向けてマイクロ波を送信する。反射波は、利用者の心臓付近の体表面でマイクロ波が反射したものである。
【００１０】
このモニタでは、利用者による閲覧が行われる。測定装置の送信部が、利用者の心臓付近に向けてマイクロ波を送信する。測定装置の受信部が、反射波を受信する。反射波が、利用者の心臓付近の体表面でマイクロ波が反射したものである。
したがって、利用者の心臓付近の体表面でマイクロ波が反射したものが反射波であるので、反射波を受信して分析することにより、利用者の心拍による微弱な体動を測定することができる。
【００１１】
請求項４に係るモニタは、請求項２又は３に記載のモニタであって、測定装置は、増幅部をさらに有する。増幅部は、マイクロ波の信号及び反射波の信号の少なくとも一方を増幅する。
このモニタでは、利用者による閲覧が行われる。測定装置の送信部が、利用者に向けてマイクロ波を送信する。測定装置の受信部が、反射波を受信する。測定装置の増幅部が、マイクロ波の信号を受け取ることができる。測定装置の増幅部が、反射波の信号を受け取ることができる。測定装置の増幅部が、マイクロ波の信号及び反射波の信号の少なくとも一方を増幅する。
【００１２】
したがって、マイクロ波の信号及び反射波の信号の少なくとも一方を増幅するので、利用者の心拍による微弱な体動に関連した信号が微弱であっても、利用者の心拍による微弱な体動を測定することができる。
請求項５に係るモニタは、請求項２から４のいずれか１項に記載のモニタであって、測定装置は、演算部をさらに有する。演算部は、変化情報を演算する。変化情報は、マイクロ波に関する信号に対する反射波に関する信号の変化に関する情報である。
【００１３】
このモニタでは、利用者による閲覧が行われる。測定装置の送信部が、利用者に向けてマイクロ波を送信する。測定装置の受信部が、反射波を受信する。測定装置の演算部が、マイクロ波に関する信号を受け取ることができる。測定装置の演算部が、反射波に関する信号を受け取ることができる。測定装置の演算部が、変化情報を演算する。変化情報が、マイクロ波に関する信号に対する反射波に関する信号の変化に関する情報である。
【００１４】
したがって、変化情報を演算するので、ドップラー効果を利用して利用者の心拍による微弱な体動を分析することができる。このため、利用者の心拍による微弱な体動を測定することができる。
なお、マイクロ波に関する信号は、例えば、マイクロ波の信号を増幅した信号やマイクロ波の信号そのものなどである。反射波に関する信号は、例えば、反射波の信号を増幅した信号や反射波の信号そのものなどである。変化情報は、例えば、周波数の変化に関する情報、波長の変化に関する情報、スペクトル線の広がりの変化に関する情報などである。
【００１５】
請求項６に係るモニタは、請求項５に記載のモニタであって、測定装置は、抽出部をさらに有する。抽出部は、変化情報に基づいて、帯域情報を抽出する。帯域情報は、所定の周波数帯域の情報である。
このモニタでは、利用者による閲覧が行われる。測定装置の送信部が、利用者に向けてマイクロ波を送信する。測定装置の受信部が、反射波を受信する。測定装置の演算部が、マイクロ波に関する信号を受け取ることができる。測定装置の演算部が、反射波に関する信号を受け取ることができる。測定装置の演算部が、変化情報を演算する。変化情報が、マイクロ波に関する信号に対する反射波に関する信号の変化に関する情報である。測定装置の抽出部が、変化情報を受け取ることができる。測定装置の抽出部が、変化情報に基づいて、帯域情報を抽出する。
【００１６】
したがって、変化情報に基づいて帯域情報を抽出するので、利用者の心拍による微弱な体動に関連した情報を変化情報から抽出することができる。このため、利用者の心拍による微弱な体動を測定することができる。
請求項７に係るモニタは、請求項６に記載のモニタであって、測定装置は、分析部をさらに有する。分析部は、帯域情報に基づいて、心拍情報を分析する。心拍情報は、利用者の心拍に関する情報である。
【００１７】
このモニタでは、利用者による閲覧が行われる。測定装置の送信部が、利用者に向けてマイクロ波を送信する。測定装置の受信部が、反射波を受信する。測定装置の演算部が、マイクロ波に関する信号を受け取ることができる。測定装置の演算部が、反射波に関する信号を受け取ることができる。測定装置の演算部が、変化情報を演算する。変化情報が、マイクロ波に関する信号に対する反射波に関する信号の変化に関する情報である。測定装置の抽出部が、変化情報を受け取ることができる。測定装置の抽出部が、変化情報に基づいて、帯域情報を抽出する。測定装置の分析部が、帯域情報に基づいて、利用者の心拍による微弱な体動を分析することができる。これにより、測定装置の分析部が、帯域情報に基づいて、心拍情報を分析する。心拍情報が、例えば、単位時間における心拍数に関する情報、単位時間における呼吸数に関する情報、心拍間隔に関する情報、覚醒度に関する情報、疲労度に関する情報、ストレス度に関する情報などである。
【００１８】
したがって、帯域情報に基づいて心拍情報を分析するので、心拍情報を利用者に非接触で測定することができる。
請求項８に係るモニタは、請求項７に記載のモニタであって、表示装置をさらに備える。表示装置は、心拍情報を表示する。
このモニタでは、利用者による閲覧が行われる。測定装置の送信部が、利用者に向けてマイクロ波を送信する。測定装置の受信部が、反射波を受信する。測定装置の演算部が、マイクロ波に関する信号を受け取ることができる。測定装置の演算部が、反射波に関する信号を受け取ることができる。測定装置の演算部が、変化情報を演算する。変化情報が、マイクロ波に関する信号に対する反射波に関する信号の変化に関する情報である。測定装置の抽出部が、変化情報を受け取ることができる。測定装置の抽出部が、変化情報に基づいて、帯域情報を抽出する。測定装置の分析部が、帯域情報に基づいて、利用者の心拍による微弱な体動を分析することができる。これにより、測定装置の分析部が、帯域情報に基づいて、心拍情報を分析する。表示装置が、心拍情報を受け取ることができる。表示装置が、心拍情報を表示する。
【００１９】
したがって、心拍情報を表示するので、利用者の健康を管理することができる。
請求項９に係る健康管理システムは、請求項７又は８に記載のモニタと、入力機器と、記憶機器とを備える。入力機器は、利用者からの入力を受け付ける。記憶機器は、心拍情報を記憶する。利用者は、複数存在する。入力機器には、識別情報が入力される。識別情報は、利用者を識別するための情報である。記憶機器は、心拍情報を利用者毎に記憶する。
【００２０】
この健康管理システムでは、利用者が、複数存在する。入力機器に、識別情報が入力される。記憶機器が、識別情報を受け取ることができる。それぞれの利用者による閲覧が行われる。モニタの測定装置の送信部が、利用者に向けてマイクロ波を送信する。モニタの測定装置の受信部が、反射波を受信する。モニタの測定装置の演算部が、マイクロ波に関する信号を受け取ることができる。モニタの測定装置の演算部が、反射波に関する信号を受け取ることができる。モニタの測定装置の演算部が、変化情報を演算する。変化情報が、マイクロ波に関する信号に対する反射波に関する信号の変化に関する情報である。モニタの測定装置の抽出部が、変化情報を受け取ることができる。モニタの測定装置の抽出部が、変化情報に基づいて、帯域情報を抽出する。モニタの測定装置の分析部が、帯域情報を受け取ることができる。モニタの測定装置の分析部が、帯域情報に基づいて、利用者の心拍による微弱な体動を分析することができる。これにより、モニタの測定装置の分析部が、帯域情報に基づいて、心拍情報を分析する。記憶機器が、心拍情報を受け取ることができる。記憶機器が、心拍情報を利用者毎に記憶する。
【００２１】
したがって、心拍情報を利用者毎に記憶しているので、利用者毎に健康を管理することができる。また、変化情報に基づいて心拍情報を分析するので、心拍情報を利用者に非接触で測定することができる。このため、利用者の生体情報を測定するための装置を利用者に装着せずに連続的に利用者の健康を管理することができる。
なお、心拍情報は、例えば、単位時間における心拍数に関する情報、単位時間における呼吸数に関する情報、心拍間隔に関する情報、覚醒度に関する情報、疲労度に関する情報、ストレス度に関する情報などである。
【００２２】
請求項１０に係る健康管理システムは、請求項２から４のいずれか１項に記載のモニタと、制御機器とを備える。制御機器は、モニタを制御する。測定装置又は制御機器は、演算部を有する。演算部は、変化情報を演算する。変化情報は、マイクロ波に関する信号に対する反射波に関する信号の変化に関する情報である。
この健康管理システムでは、利用者によりモニタが閲覧される。モニタの測定装置の送信部が、利用者に向けてマイクロ波を送信する。モニタの測定装置の受信部が、反射波を受信する。モニタの測定装置の増幅部が、マイクロ波の信号を受け取ることができる。モニタの測定装置の増幅部が、反射波の信号を受け取ることができる。モニタの測定装置の増幅部が、マイクロ波の信号及び反射波の信号の少なくとも一方を増幅する。測定装置又は制御機器の演算部が、マイクロ波に関する信号を受け取ることができる。測定装置又は制御機器の演算部が、反射波に関する信号を受け取ることができる。測定装置又は制御機器の演算部が、変化情報を演算する。変化情報が、マイクロ波に関する信号に対する反射波に関する信号の変化に関する情報である。
【００２３】
したがって、変化情報を演算するので、ドップラー効果を利用して利用者の心拍による微弱な体動を分析することができる。このため、利用者の心拍による微弱な体動を測定することができる。この結果、利用者の生体情報を測定するための装置を利用者に装着せずに連続的に利用者の健康を管理することができる。
なお、心拍情報は、例えば、単位時間における心拍数に関する情報、単位時間における呼吸数に関する情報、心拍間隔に関する情報、覚醒度に関する情報、疲労度に関する情報、ストレス度に関する情報などである。マイクロ波に関する信号は、例えば、マイクロ波の信号を増幅した信号やマイクロ波の信号そのものなどである。反射波に関する信号は、例えば、反射波の信号を増幅した信号や反射波の信号そのものなどである。変化情報は、例えば、周波数の変化に関する情報、波長の変化に関する情報、スペクトル線の広がりの変化に関する情報などである。
【００２４】
請求項１１に係る健康管理システムは、請求項１０に記載の健康管理システムであって、測定装置又は制御機器は、抽出部を有する。抽出部は、変化情報に基づいて、帯域情報を抽出する。帯域情報は、所定の周波数帯域の情報である。
この健康管理システムでは、利用者によりモニタが閲覧される。モニタの測定装置の送信部が、利用者に向けてマイクロ波を送信する。モニタの測定装置の受信部が、反射波を受信する。モニタの測定装置の増幅部が、マイクロ波の信号を受け取ることができる。モニタの測定装置の増幅部が、反射波の信号を受け取ることができる。モニタの測定装置の増幅部が、マイクロ波の信号及び反射波の信号の少なくとも一方を増幅する。測定装置又は制御機器の演算部が、マイクロ波に関する信号を受け取ることができる。測定装置又は制御機器の演算部が、反射波に関する信号を受け取ることができる。測定装置又は制御機器の演算部が、変化情報を演算する。測定装置又は制御機器の抽出部が、変化情報を受け取ることができる。測定装置又は制御機器の抽出部が、変化情報に基づいて、帯域情報を抽出する。
【００２５】
したがって、変化情報に基づいて帯域情報を抽出するので、利用者の心拍による微弱な体動に関連した情報を変化情報から抽出することができる。このため、利用者の心拍による微弱な体動を測定することができるので、利用者の心拍に関する情報である心拍情報を利用者に非接触で測定することができる。
請求項１２に係る健康管理システムは、請求項１１に記載の健康管理システムであって、測定装置又は制御機器は、分析部をさらに有する。分析部は、帯域情報に基づいて、心拍情報を分析する。心拍情報は、利用者の心拍に関する情報である。
【００２６】
この健康管理システムでは、利用者によりモニタが閲覧される。モニタの測定装置の送信部が、利用者に向けてマイクロ波を送信する。モニタの測定装置の受信部が、反射波を受信する。モニタの測定装置の増幅部が、マイクロ波の信号を受け取ることができる。モニタの測定装置の増幅部が、反射波の信号を受け取ることができる。モニタの測定装置の増幅部が、マイクロ波の信号及び反射波の信号の少なくとも一方を増幅する。測定装置又は制御機器の演算部が、マイクロ波に関する信号を受け取ることができる。測定装置又は制御機器の演算部が、反射波に関する信号を受け取ることができる。測定装置又は制御機器の演算部が、変化情報を演算する。測定装置又は制御機器の抽出部が、変化情報を受け取ることができる。測定装置又は制御機器の抽出部が、変化情報に基づいて、帯域情報を抽出する。測定装置又は制御機器の分析部が、帯域情報に基づいて、利用者の心拍による微弱な体動を分析することができる。これにより、測定装置又は制御機器の分析部が、帯域情報に基づいて、心拍情報を分析する。心拍情報が、例えば、単位時間における心拍数に関する情報、単位時間における呼吸数に関する情報、心拍間隔に関する情報、覚醒度に関する情報、疲労度に関する情報、ストレス度に関する情報などである。
【００２７】
したがって、帯域情報に基づいて心拍情報を分析するので、心拍情報を利用者に非接触で測定することができる。
請求項１３に係る健康管理システムは、請求項１２に記載の健康管理システムであって、入力機器と記憶機器とをさらに備える。入力機器は、利用者からの入力を受け付ける。記憶機器は、心拍情報を記憶する。利用者は、複数存在する。入力機器には、識別情報が入力される。識別情報は、利用者を識別するための情報である。記憶機器は、心拍情報を利用者毎に記憶する。
【００２８】
この健康管理システムでは、利用者が、複数存在する。入力機器に、識別情報が入力される。記憶機器が、識別情報を受け取ることができる。それぞれの利用者による閲覧が行われる。モニタの測定装置の送信部が、利用者に向けてマイクロ波を送信する。モニタの測定装置の受信部が、反射波を受信する。測定装置又は制御機器の演算部が、マイクロ波に関する信号を受け取ることができる。測定装置又は制御機器の演算部が、反射波に関する信号を受け取ることができる。測定装置又は制御機器の演算部が、変化情報を演算する。変化情報が、マイクロ波に関する信号に対する反射波に関する信号の変化に関する情報である。測定装置又は制御機器の抽出部が、変化情報を受け取ることができる。測定装置又は制御機器の抽出部が、変化情報に基づいて、帯域情報を抽出する。測定装置又は制御機器の分析部が、帯域情報を受け取ることができる。測定装置又は制御機器の分析部が、帯域情報に基づいて、利用者の心拍による微弱な体動を分析することができる。これにより、測定装置又は制御機器の分析部が、帯域情報に基づいて、心拍情報を分析する。記憶機器が、心拍情報を受け取ることができる。記憶機器が、心拍情報を利用者毎に記憶する。
【００２９】
したがって、心拍情報を利用者毎に記憶しているので、利用者毎に健康を管理することができる。また、変化情報に基づいて心拍情報を分析するので、心拍情報を利用者に非接触で測定することができる。このため、利用者の生体情報を測定するための装置を利用者に装着せずに連続的に利用者の健康を管理することができる。
請求項１４に係る健康管理システムは、請求項１２又は１３に記載の健康管理システムであって、入力機器と管理機器とをさらに備える。入力機器は、利用者からの入力を受け付ける。管理機器は、複数の利用者の心拍情報をネットワーク経由で管理する。利用者は、複数存在する。入力機器は、識別情報が入力される。識別情報は、利用者を識別するための情報である。
【００３０】
この健康管理システムでは、利用者が、複数存在する。入力機器に、識別情報が入力される。それぞれの利用者による閲覧が行われる。モニタの測定装置の送信部が、利用者に向けてマイクロ波を送信する。モニタの測定装置の受信部が、反射波を受信する。測定装置又は制御機器の演算部が、マイクロ波に関する信号を受け取ることができる。測定装置又は制御機器の演算部が、反射波に関する信号を受け取ることができる。測定装置又は制御機器の演算部が、変化情報を演算する。変化情報が、マイクロ波に関する信号に対する反射波に関する信号の変化に関する情報である。測定装置又は制御機器の抽出部が、変化情報を受け取ることができる。測定装置又は制御機器の抽出部が、変化情報に基づいて、帯域情報を抽出する。測定装置又は制御機器の分析部が、帯域情報を受け取ることができる。測定装置又は制御機器の分析部が、帯域情報に基づいて、利用者の心拍による微弱な体動を分析することができる。これにより、測定装置又は制御機器の分析部が、帯域情報に基づいて、心拍情報を分析する。管理機器が、識別情報と心拍情報とをネットワーク経由で受け取ることができる。管理機器が、複数の利用者の心拍情報をネットワーク経由で管理する。
【００３１】
したがって、複数の利用者の心拍情報をネットワーク経由で管理するので、複数の利用者の心拍情報を集中的に管理することができる。
請求項１５に係る健康管理方法は、利用者が閲覧するためのモニタにおいて行われる健康管理方法であって、測定ステップを備える。測定ステップでは、体動情報が、利用者に非接触で測定される。体動情報は、利用者の体の動きに関する情報である。測定ステップは、送信ステップと受信ステップとを有する。送信ステップでは、利用者に向けてマイクロ波が送信される。受信ステップでは、反射波が受信される。反射波は、利用者でマイクロ波が反射されたものである。
【００３２】
この健康管理方法では、利用者による閲覧が行われる。測定ステップにおいて、体動情報が、利用者に非接触で測定される。すなわち、測定ステップの送信ステップにおいて、利用者に向けてマイクロ波が送信される。測定ステップの受信ステップにおいて、反射波が受信される。
したがって、体動情報を利用者に非接触で測定するので、利用者の心拍による微弱な体動を測定することができれば、利用者の心拍に関する情報である心拍情報を利用者に非接触で測定することができる。このため、利用者の生体情報を測定するための装置を利用者に装着せずに連続的に利用者の健康を管理することができる。
【００３３】
なお、心拍情報は、例えば、単位時間における心拍数に関する情報、単位時間における呼吸数に関する情報、心拍間隔に関する情報、覚醒度に関する情報、疲労度に関する情報、ストレス度に関する情報などである。
【発明の効果】
【００３４】
請求項１に係るモニタでは、体動情報を利用者に非接触で測定するので、利用者の心拍による微弱な体動を測定することができれば、利用者の心拍に関する情報である心拍情報を利用者に非接触で測定することができる。このため、利用者の生体情報を測定するための装置を利用者に装着せずに連続的に利用者の健康を管理することができる。
請求項２に係るモニタでは、反射波を受信して分析することができるので、利用者の心拍による微弱な体動を測定することができれば、心拍情報を利用者に非接触で測定することができる。
【００３５】
請求項３に係るモニタでは、利用者の心臓付近の体表面でマイクロ波が反射したものが反射波であるので、反射波を受信して分析することにより、利用者の心拍による微弱な体動を測定することができる。
請求項４に係るモニタでは、マイクロ波の信号及び反射波の信号の少なくとも一方を増幅するので、利用者の心拍による微弱な体動に関連した信号が微弱であっても、利用者の心拍による微弱な体動を測定することができる。
【００３６】
請求項５に係るモニタでは、変化情報を演算するので、ドップラー効果を利用して利用者の心拍による微弱な体動を分析することができる。このため、利用者の心拍による微弱な体動を測定することができる。
請求項６に係るモニタでは、変化情報に基づいて帯域情報を抽出するので、利用者の心拍による微弱な体動に関連した情報を変化情報から抽出することができる。このため、利用者の心拍による微弱な体動を測定することができる。
【００３７】
請求項７に係るモニタでは、帯域情報に基づいて心拍情報を分析するので、心拍情報を利用者に非接触で測定することができる。
請求項８に係るモニタでは、心拍情報を表示するので、利用者の健康を管理することができる。
請求項９に係る健康管理システムでは、心拍情報を利用者毎に記憶しているので、利用者毎に健康を管理することができる。また、変化情報に基づいて心拍情報を分析するので、心拍情報を利用者に非接触で測定することができる。このため、利用者の生体情報を測定するための装置を利用者に装着せずに連続的に利用者の健康を管理することができる。
【００３８】
請求項１０に係る健康管理システムでは、変化情報を演算するので、ドップラー効果を利用して利用者の心拍による微弱な体動を分析することができる。このため、利用者の心拍による微弱な体動を測定することができる。この結果、利用者の生体情報を測定するための装置を利用者に装着せずに連続的に利用者の健康を管理することができる。
請求項１１に係る健康管理システムでは、変化情報に基づいて帯域情報を抽出するので、利用者の心拍による微弱な体動に関連した情報を変化情報から抽出することができる。このため、利用者の心拍による微弱な体動を測定することができるので、利用者の心拍に関する情報である心拍情報を利用者に非接触で測定することができる。
【００３９】
請求項１２に係る健康管理システムでは、帯域情報に基づいて心拍情報を分析するので、心拍情報を利用者に非接触で測定することができる。
請求項１３に係る健康管理システムでは、心拍情報を利用者毎に記憶しているので、利用者毎に健康を管理することができる。また、変化情報に基づいて心拍情報を分析するので、心拍情報を利用者に非接触で測定することができる。このため、利用者の生体情報を測定するための装置を利用者に装着せずに連続的に利用者の健康を管理することができる。
【００４０】
請求項１４に係る健康管理システムでは、複数の利用者の心拍情報をネットワーク経由で管理するので、複数の利用者の心拍情報を集中的に管理することができる。
請求項１５に係る健康管理方法では、体動情報を利用者に非接触で測定するので、利用者の心拍による微弱な体動を測定することができれば、利用者の心拍に関する情報である心拍情報を利用者に非接触で測定することができる。このため、利用者の生体情報を測定するための装置を利用者に装着せずに連続的に利用者の健康を管理することができる。
【発明を実施するための最良の形態】
【００４１】
［第１実施形態］
本発明の第１実施形態に係る健康管理システム１の概念図を図１に示す。また、本発明の第１実施形態に係る健康管理システム１の構成要素の構成図を図２に示す。図１に示す健康管理システム１は、主としてモニタ３０を閲覧する利用者Ｐの健康を管理するためのシステムである。
【００４２】
＜健康管理システム１の全体構成＞
図１に示すように、この健康管理システム１は、主としてモニタ３０とパソコン本体６０とを備える。モニタ３０は、デスクＤ上に置かれ、利用者Ｐにより閲覧されている。
＜モニタ３０の構成＞
図１に示すモニタ３０は、図２に示すように、主としてマイクロ波ドップラーセンサ１０と表示装置２０とを備える。マイクロ波ドップラーセンサ１０は、主として送信部１１，受信部１２，処理部１３，抽出部１４，増幅部１５，演算部１６及び分析部１７を備える。
【００４３】
図２に示すマイクロ波ドップラーセンサ１０の送信部１１が、利用者Ｐ（図１参照）に向けてマイクロ波を送信する。ここで、送信部１１が、利用者Ｐ（図１参照）の心臓付近に向けてマイクロ波を送信する。なお、マイクロ波は、モニタ３０の表示部分の材料であるガラスやプラスチックを透過し、体表面や金属などで反射する性質を持っている。受信部１２が、反射波を受信する。ここで、反射波が、利用者Ｐ（図１参照）の心臓付近の体表面でマイクロ波が反射したものである。増幅部１５が、マイクロ波の信号を、送信部１１から受け取る。増幅部１５が、反射波の信号を、受信部１２から受け取る。増幅部１５が、マイクロ波の信号及び反射波の信号を増幅する。演算部１６が、マイクロ波に関する信号を、処理部１３経由で増幅部１５から受け取る。ここで、マイクロ波に関する信号は、マイクロ波の信号を増幅した信号である。演算部１６が、反射波に関する信号を、処理部１３経由で増幅部１５から受け取る。ここで、反射波に関する信号は、反射波の信号を増幅した信号である。演算部１６が、変化情報（図４参照）を演算する。変化情報（図４参照）が、マイクロ波に関する信号に対する反射波に関する信号の変化に関する情報である。抽出部１４が、変化情報（図４参照）を、処理部１３経由で演算部１６から受け取る。抽出部１４が、変化情報に基づいて、帯域情報を抽出する。帯域情報は、所定の周波数帯域（図４のＰ１〜Ｐ４参照）の情報である。分析部１７が、帯域情報（図４のＰ１〜Ｐ４参照）に基づいて、利用者Ｐ（図１参照）の心拍による微弱な体動を分析する。これにより、分析部１７が、帯域情報（図４のＰ１〜Ｐ４参照）に基づいて、心拍情報（図５参照）を分析する。ここで、心拍情報（図５参照）は、ストレス度に関する情報である。処理部１３が、心拍情報（図５参照）を、分析部１７から受け取り、パソコン本体６０の制御機器４０へ渡す。
【００４４】
表示装置２０が、制御信号をパソコン本体６０の制御機器４０から受け取る。表示装置２０が、制御信号に基づいて、心拍情報（図５参照）を表示する。
＜パソコン本体６０の構成＞
図１に示すパソコン本体６０は、図２に示すように、主として制御機器４０を備える。制御機器４０は、主として処理部４１を備える。
【００４５】
制御機器４０の処理部４１が、心拍情報（図５参照）を、モニタ３０のマイクロ波ドップラーセンサ１０から受け取る。処理部４１が、心拍情報（図５参照）をモニタ３０の表示装置２０に表示させるための制御信号を生成する。処理部４１が、制御信号をモニタ３０の表示装置２０へ渡す。
＜変化情報の構成＞
図２に示す演算部１６で演算される変化情報は、マイクロ波に関する信号に対する反射波に関する信号の変化に関する情報である。すなわち、利用者Ｐ（図１参照）に体動があればマイクロ波に関する信号に対して反射波に関する信号の周波数が変化するので、ドップラー効果を利用して、利用者Ｐ（図１参照）の体動の有無を検出することが可能である。変化情報の時間的な推移は、例えば、図４に示すグラフ９１のようになる。
【００４６】
＜帯域情報の構成＞
図２に示す抽出部１４で抽出される帯域情報は、所定の周波数帯域の情報であり、利用者の心拍による微弱な体動に関連した情報である。例えば、変化情報の時間的な推移が図４に示すグラフ９１のようになる場合、他の周波数帯域で出現するピークＰ１１と混在した波形（例えば、ピークＰ１ａやピークＰ２ａ）から帯域情報が抽出される。他の周波数帯域で出現するピークは、例えば、利用者Ｐａ，・・・（図１参照）の呼吸によるものや利用者Ｐａ，・・・（図１参照）の大きな体動によるものなどである。すなわち、ピークＰ１〜Ｐ４で示される情報が帯域情報である。
【００４７】
＜心拍情報の構成＞
図２に示す分析部１７で分析される心拍情報は、帯域情報（図４のＰ１〜Ｐ４参照）に基づいて分析された情報であり、ストレス度に関する情報である。分析部１７が、帯域情報（図４のＰ１〜Ｐ４参照）に基づいて、利用者Ｐ（図１参照）の心拍による微弱な体動を分析する。利用者Ｐ（図１参照）の心拍による微弱な体動の時間的な推移の情報は、利用者Ｐ（図１参照）の心臓付近の体表面に電極を装着して測定された心電波形（図示せず）と同様の情報である。ここで、心電波形とは、利用者Ｐ（図１参照）の心臓の電位の時間的な変化を、利用者Ｐ（図１参照）に接触して計測したものである。分析部１７が、利用者Ｐ（図１参照）の微弱な体動の波形（時間的な推移の情報）において鋭いピークを示すＲ波を検知する。分析部１７が、Ｒ波の間隔の時間的な変化を周波数解析して、Ｒ波の間隔の変動のスペクトル９２（図５参照）すなわち心拍情報を分析する。
【００４８】
図５に示すスペクトル９２、すなわち心拍情報は、利用者Ｐ（図１参照）のストレス度に関する情報である。図５に示すスペクトル９２、すなわち心拍情報において、縦軸はＰＳＤ（Ｐｏｗｅｒ  Ｓｐｅｃｔｒｅ  Ｄｅｎｓｉｔｙ；パワースペクトル密度）であり、横軸は周波数である。図５に示すスペクトル９２、すなわち心拍情報において、０．１Ｈｚ前後のピークがＭＷＳＡ（Ｍａｙｅｒ  Ｗａｖｅ  ｒｅｌａｔｅｄ  Ｓｉｎｕｓ  Ａｒｒｈｙｔｈｍｉａ；血圧性変動）と一般に呼ばれ、そのＰＳＤ強度が交感神経と副交感神経との活動レベルの大きさを示す。また、０．３Ｈｚ前後のピークがＲＳＡ（Ｒｅｓｐｉｒａｔｏｒｙ  ｒｅｌａｔｅｄ  Ｓｉｎｕｓ  Ａｒｒｈｙｔｈｍｉａ；呼吸性変動）と一般に呼ばれ、そのＰＳＤ強度が副交感神経の活動レベルの大きさを示す。ＭＷＳＡのＰＳＤ強度がＲＳＡのＰＳＤ強度に比べて強ければ、利用者Ｐ（図１参照）のストレス度が高いことが分かり、ＭＷＳＡのＰＳＤ強度がＲＳＡのＰＳＤ強度に比べて弱ければ、利用者Ｐ（図１参照）のストレス度が低いことが分かる。
【００４９】
＜健康管理システム１がモニタ３０を閲覧する利用者Ｐの健康を管理する処理の流れ＞
図１に示す健康管理システム１がモニタ３０を閲覧する利用者Ｐの健康を管理する処理の流れを、図３に示すフローチャートを用いて説明する。
図３に示すステップＳ１では、モニタが閲覧される。すなわち、図１に示す利用者Ｐによりモニタ３０が閲覧される。
【００５０】
図３に示すステップＳ２では、マイクロ波が送信される。すなわち、図２に示すモニタ３０のマイクロ波ドップラーセンサ１０の送信部１１により、利用者Ｐ（図１参照）に向けてマイクロ波が送信される。ここで、送信部１１により、利用者Ｐ（図１参照）の心臓付近に向けてマイクロ波が送信される。
図３に示すステップＳ３では、反射波が受信される。すなわち、図２に示すモニタ３０のマイクロ波ドップラーセンサ１０の受信部１２により、反射波が受信される。ここで、反射波が、利用者Ｐ（図１参照）の心臓付近の体表面でマイクロ波が反射されたものである。
【００５１】
図３に示すステップＳ４では、信号が増幅される。すなわち、図２に示すモニタ３０のマイクロ波ドップラーセンサ１０の増幅部１５により、マイクロ波の信号が、送信部１１から受け取られる。増幅部１５により、反射波の信号が、受信部１２から受け取られる。増幅部１５により、マイクロ波の信号及び反射波の信号が増幅される。
図３に示すステップＳ５では、変化情報が演算される。すなわち、図２に示すモニタ３０のマイクロ波ドップラーセンサ１０の演算部１６により、マイクロ波に関する信号が、処理部１３経由で増幅部１５から受け取られる。ここで、マイクロ波に関する信号は、マイクロ波の信号が増幅された信号である。演算部１６により、反射波に関する信号が、処理部１３経由で増幅部１５から受け取られる。ここで、反射波に関する信号は、反射波の信号が増幅された信号である。演算部１６により、変化情報（図４参照）が演算される。変化情報（図４参照）が、マイクロ波に関する信号に対する反射波に関する信号の変化に関する情報である。
【００５２】
図３に示すステップＳ６では、帯域情報が抽出される。すなわち、図２に示すモニタ３０のマイクロ波ドップラーセンサ１０の抽出部１４により、変化情報（図４参照）が、処理部１３経由で演算部１６から受け取られる。抽出部１４により、変化情報（図４参照）に基づいて、帯域情報が抽出される。帯域情報は、所定の周波数帯域（図４のＰ１〜Ｐ４参照）の情報である。
【００５３】
図３に示すステップＳ７では、心拍情報が分析される。すなわち、図２に示すモニタ３０のマイクロ波ドップラーセンサ１０の分析部１７により、帯域情報（図４のＰ１〜Ｐ４参照）に基づいて、利用者Ｐ（図１参照）の心拍による微弱な体動が分析される。この結果、分析部１７により、帯域情報（図４のＰ１〜Ｐ４参照）に基づいて、心拍情報（図５参照）が分析される。ここで、心拍情報（図５参照）は、ストレス度に関する情報である。
【００５４】
図３に示すステップＳ８では、心拍情報が表示される。すなわち、図２に示すモニタ３０のマイクロ波ドップラーセンサ１０の処理部１３により、心拍情報（図５参照）が、分析部１７から受け取られ、パソコン本体６０の制御機器４０へ渡される。パソコン本体６０の制御機器４０の処理部４１により、心拍情報（図５参照）が、モニタ３０のマイクロ波ドップラーセンサ１０から受け取られる。処理部４１により、心拍情報（図５参照）をモニタ３０の表示装置２０に表示させるための制御信号が生成される。処理部４１により、制御信号がモニタ３０の表示装置２０へ渡される。表示装置２０により、制御信号がパソコン本体６０の制御機器４０から受け取られる。表示装置２０により、制御信号に基づいて、心拍情報（図５参照）が表示される。
【００５５】
＜健康管理システム１に関する特徴＞
（１）
ここでは、図１に示す利用者Ｐにより、モニタ３０が閲覧される。モニタ３０のマイクロ波ドップラーセンサ１０が、利用者Ｐの体の動きに関する情報である体動情報を、利用者Ｐに非接触で測定する。
【００５６】
したがって、体動情報を利用者Ｐに非接触で測定するので、利用者Ｐの心拍による微弱な体動を測定することにより、利用者Ｐの心拍に関する情報である心拍情報（図５参照）を利用者Ｐに非接触で測定することが可能である。このため、利用者Ｐの生体情報を測定するための装置を利用者Ｐに装着せずに連続的に利用者Ｐの健康を管理することが可能である。
【００５７】
（２）
ここでは、図１に示す利用者Ｐにより、モニタ３０が閲覧される。図２に示すモニタ３０のマイクロ波ドップラーセンサ１０の送信部１１が、利用者Ｐ（図１参照）に向けてマイクロ波を送信する。マイクロ波ドップラーセンサ１０の受信部１２が、反射波を受信する。
【００５８】
したがって、反射波を受信して分析することが可能であるので、利用者Ｐ（図１参照）の心拍による微弱な体動を測定することにより、心拍情報（図５参照）を利用者Ｐ（図１参照）に非接触で測定することが可能である。
（３）
ここでは、図１に示す利用者Ｐにより、モニタ３０が閲覧される。図２に示すモニタ３０のマイクロ波ドップラーセンサ１０の送信部１１が、利用者Ｐ（図１参照）の心臓付近に向けてマイクロ波を送信する。マイクロ波ドップラーセンサ１０の受信部１２が、反射波を受信する。反射波が、利用者Ｐ（図１参照）の心臓付近の体表面でマイクロ波が反射したものである。
【００５９】
したがって、利用者Ｐ（図１参照）の心臓付近の体表面でマイクロ波が反射したものが反射波であるので、反射波を受信して分析することにより、利用者Ｐ（図１参照）の心拍による微弱な体動を測定することが可能である。
（４）
ここでは、図１に示す利用者Ｐにより、モニタ３０が閲覧される。図２に示すモニタ３０のマイクロ波ドップラーセンサ１０の送信部１１が、利用者Ｐ（図１参照）に向けてマイクロ波を送信する。マイクロ波ドップラーセンサ１０の受信部１２が、反射波を受信する。マイクロ波ドップラーセンサ１０の増幅部１５が、マイクロ波の信号を、送信部１１から受け取る。マイクロ波ドップラーセンサ１０の増幅部１５が、反射波の信号を、受信部１２から受け取る。マイクロ波ドップラーセンサ１０の増幅部１５が、マイクロ波の信号及び反射波の信号を増幅する。
【００６０】
したがって、マイクロ波の信号及び反射波の信号を増幅するので、利用者Ｐ（図１参照）の心拍による微弱な体動に関連した信号が微弱であっても、利用者Ｐ（図１参照）の心拍による微弱な体動を測定することが可能である。
（５）
ここでは、図１に示す利用者Ｐにより、モニタ３０が閲覧される。図２に示すモニタ３０のマイクロ波ドップラーセンサ１０の送信部１１が、利用者Ｐ（図１参照）に向けてマイクロ波を送信する。マイクロ波ドップラーセンサ１０の受信部１２が、反射波を受信する。マイクロ波ドップラーセンサ１０の演算部１６が、マイクロ波に関する信号を、処理部１３経由で増幅部１５から受け取る。ここで、マイクロ波に関する信号は、マイクロ波の信号を増幅した信号である。マイクロ波ドップラーセンサ１０の演算部１６が、反射波に関する信号を、処理部１３経由で増幅部１５から受け取る。ここで、反射波に関する信号は、反射波の信号を増幅した信号である。マイクロ波ドップラーセンサ１０の演算部１６が、変化情報（図４参照）を演算する。変化情報（図４参照）が、マイクロ波に関する信号に対する反射波に関する信号の変化に関する情報である。
【００６１】
したがって、変化情報（図４参照）を演算するので、ドップラー効果を利用して利用者Ｐ（図１参照）の心拍による微弱な体動を分析することが可能である。このため、利用者Ｐ（図１参照）の心拍による微弱な体動を測定することが可能である。
（６）
ここでは、図１に示す利用者Ｐにより、モニタ３０が閲覧される。図２に示すモニタ３０のマイクロ波ドップラーセンサ１０の送信部１１が、利用者Ｐ（図１参照）に向けてマイクロ波を送信する。マイクロ波ドップラーセンサ１０の受信部１２が、反射波を受信する。マイクロ波ドップラーセンサ１０の演算部１６が、マイクロ波に関する信号を、処理部１３経由で増幅部１５から受け取る。マイクロ波ドップラーセンサ１０の演算部１６が、反射波に関する信号を、処理部１３経由で増幅部１５から受け取る。マイクロ波ドップラーセンサ１０の演算部１６が、変化情報（図４参照）を演算する。変化情報（図４参照）が、マイクロ波に関する信号に対する反射波に関する信号の変化に関する情報である。マイクロ波ドップラーセンサ１０の抽出部１４が、変化情報（図４参照）を、処理部１３経由で演算部１６から受け取る。マイクロ波ドップラーセンサ１０の抽出部１４が、変化情報（図４参照）に基づいて、帯域情報（図４のＰ１〜Ｐ４参照）を抽出する。
【００６２】
したがって、変化情報（図４参照）に基づいて帯域情報（図４のＰ１〜Ｐ４参照）を抽出するので、利用者Ｐ（図１参照）の心拍による微弱な体動に関連した情報を変化情報（図４参照）から抽出することが可能である。このため、利用者Ｐ（図１参照）の心拍による微弱な体動を測定することが可能である。
（７）
ここでは、図１に示す利用者Ｐにより、モニタ３０が閲覧される。図２に示すモニタ３０のマイクロ波ドップラーセンサ１０の送信部１１が、利用者Ｐ（図１参照）に向けてマイクロ波を送信する。マイクロ波ドップラーセンサ１０の受信部１２が、反射波を受信する。マイクロ波ドップラーセンサ１０の演算部１６が、マイクロ波に関する信号を、処理部１３経由で増幅部１５から受け取る。マイクロ波ドップラーセンサ１０の演算部１６が、反射波に関する信号を、処理部１３経由で増幅部１５から受け取る。マイクロ波ドップラーセンサ１０の演算部１５が、変化情報（図４参照）を演算する。マイクロ波ドップラーセンサ１０の抽出部１４が、変化情報（図４参照）を、処理部１３経由で演算部１６から受け取る。マイクロ波ドップラーセンサ１０の抽出部１４が、変化情報（図４参照）に基づいて、帯域情報（図４のＰ１〜Ｐ４参照）を抽出する。マイクロ波ドップラーセンサ１０の分析部１７が、帯域情報（図４のＰ１〜Ｐ４参照）に基づいて、利用者Ｐ（図１参照）の心拍による微弱な体動を分析する。これにより、マイクロ波ドップラーセンサ１０の分析部１７が、帯域情報（図４のＰ１〜Ｐ４参照）に基づいて、心拍情報（図５参照）を分析する。心拍情報（図５参照）が、ストレス度に関する情報である。
【００６３】
したがって、帯域情報（図４のＰ１〜Ｐ４参照）に基づいて心拍情報（図５参照）を分析するので、心拍情報（図５参照）を利用者Ｐ（図１参照）に非接触で測定することが可能である。
（８）
ここでは、図１に示す利用者Ｐにより、モニタ３０が閲覧される。図２に示すモニタ３０のマイクロ波ドップラーセンサ１０の送信部１１が、利用者Ｐ（図１参照）に向けてマイクロ波を送信する。マイクロ波ドップラーセンサ１０の受信部１２が、反射波を受信する。マイクロ波ドップラーセンサ１０の演算部１６が、マイクロ波に関する信号を、処理部１３経由で増幅部１５から受け取る。マイクロ波ドップラーセンサ１０の演算部１６が、反射波に関する信号を、処理部１３経由で増幅部１５から受け取る。マイクロ波ドップラーセンサ１０の演算部１５が、変化情報（図４参照）を演算する。マイクロ波ドップラーセンサ１０の抽出部１４が、変化情報（図４参照）を、処理部１３経由で演算部１６から受け取る。マイクロ波ドップラーセンサ１０の抽出部１４が、変化情報（図４参照）に基づいて、帯域情報（図４のＰ１〜Ｐ４参照）を抽出する。マイクロ波ドップラーセンサ１０の分析部１７が、帯域情報（図４のＰ１〜Ｐ４参照）に基づいて、利用者Ｐ（図１参照）の心拍による微弱な体動を分析する。これにより、マイクロ波ドップラーセンサ１０の分析部１７が、帯域情報（図４のＰ１〜Ｐ４参照）に基づいて、心拍情報（図５参照）を分析する。モニタ３０の表示装置２０が、心拍情報（図５参照）をモニタ３０の表示装置２０に表示させるための制御信号を、パソコン本体６０の制御機器４０から受け取る。モニタ３０の表示装置２０が、心拍情報（図５参照）を表示する。
【００６４】
したがって、心拍情報（図５参照）を表示するので、利用者Ｐ（図１参照）の健康を管理することが可能である。
＜第１実施形態の変形例＞
（Ａ）心拍情報は、図５に示すようなストレス度に関する情報でなくてもよい。例えば、単位時間における心拍数に関する情報でもよいし、単位時間における呼吸数に関する情報でもよいし、心拍間隔に関する情報でもよいし、覚醒度に関する情報でもよいし、疲労度に関する情報でもよい。変化情報は、図４に示すような周波数の変化に関する情報でなくてもよい。例えば、波長の変化に関する情報、スペクトル線の広がりの変化に関する情報などであってもよい。
【００６５】
（Ｂ）図２に示す増幅部１５は、マイクロ波の信号及び反射波の信号の一方を増幅してもよい。例えば、マイクロ波の信号が十分に強い場合、増幅部１５は、反射波の信号のみを増幅してもよい。例えば、反射波の信号が十分に強い場合、増幅部１５は、マイクロ波の信号のみを増幅してもよい。マイクロ波の信号及び反射波の信号の両方とも十分に強い場合、図２に示す増幅部１５はなくてもよい。この場合、マイクロ波に関する信号は、マイクロ波の信号そのものである。反射波に関する信号は、反射波の信号そのものである。演算部１５は、マイクロ波に関する信号を処理部１３経由で送信部１１から受け取ることになる。演算部１５は、反射波に関する信号を処理部１３経由で受信部１２から受け取ることになる。
【００６６】
（Ｃ）図１において、利用者Ｐは、利用者群Ｐ（Ｐａ，Ｐｂ，・・・）であってもよい。健康管理システム１は、主としてモニタ３０を閲覧する利用者Ｐａ，Ｐｂ，・・・（図示せず）の健康を管理するためのシステムであってもよい。この場合、図１に示す健康管理システム１は、入力機器７０をさらに備えてもよい。パソコン本体６０は、図２に示すように、記憶機器５０をさらに備えてもよい。
【００６７】
図２に示す入力機器７０に、識別情報が入力される。ここで、識別情報は、利用者Ｐａ，Ｐｂ，・・・（図示せず）を識別するための情報である。記憶機器５０が、識別情報を、パソコン本体６０の制御機器４０の制御部４１を経由して入力機器７０から受け取る。また、制御機器４０では、利用者Ｐａ，Ｐｂ，・・・（図示せず）の認証が行われる。
記憶機器５０が、心拍情報（図５参照）を、パソコン本体６０の制御機器４０の制御部４１を経由して、モニタ３０のマイクロ波ドップラーセンサ１０の処理部１３から受け取る。記憶機器５０が、心拍情報（図５参照）を利用者Ｐａ，Ｐｂ，・・・（図示せず）毎に記憶する。例えば、記憶機器５０は、図７に示すような情報を記憶する。図７に示す情報は、主として識別情報欄５１と心拍情報欄５２とを備える。識別情報欄５１には、利用者Ｐａ，Ｐｂ，・・・（図示せず）を識別するための情報が記憶されている。心拍情報欄５２には、例えば、前日１日間の平均の覚醒度が記憶されている。これにより、利用者Ｐａ，Ｐｂ，・・・（図示せず）毎に、心拍情報（たとえば、前日１日間の平均の覚醒度）を把握することができる。
【００６８】
また、図１に示す健康管理システム１がモニタ３０を閲覧する利用者Ｐの健康を管理する処理の流れが、次の点で第１実施形態と異なる。なお、図６において、図３に示す第１実施形態と同様の処理は、同じ番号で示してある。
図６に示すステップＳ１１では、識別情報が入力される。すなわち、図２に示す入力機器７０に、識別情報が入力される。ここで、識別情報は、利用者Ｐａ，Ｐｂ，・・・（図示せず）を識別するための情報である。制御機器４０では、利用者Ｐａ，Ｐｂ，・・・（図示せず）の認証が行われる。
【００６９】
図６に示すステップＳ１２では、心拍情報が記憶される。すなわち、記憶機器５０により、識別情報が、パソコン本体６０の制御機器４０の制御部４１を経由して入力機器７０から受け取られる。記憶機器５０により、心拍情報（図５参照）が、パソコン本体６０の制御機器４０の制御部４１を経由して、モニタ３０のマイクロ波ドップラーセンサ１０の処理部１３から受け取られる。記憶機器５０により、心拍情報（図５参照）が利用者Ｐａ，Ｐｂ，・・・（図示せず）毎に記憶される。
【００７０】
したがって、心拍情報（図５参照）を利用者Ｐａ，Ｐｂ，・・・（図示せず）毎に記憶しているので、利用者Ｐａ，Ｐｂ，・・・（図示せず）毎に健康を管理することができる。
（Ｄ）図２に示す入力機器７０に入力された情報は、無線回線経由でパソコン本体６０の制御機器４０に受け取られてもよい。入力機器７０は、キーが押されることにより入力を受け付けるものでもよいし、音声が発せられることにより入力を受け付けるものでもよいし、脳波が検知されることにより入力を受け付けるものでもよいし、入力を受け付けるものであればどのようなものであってもよい。
【００７１】
（Ｅ）図３に示すステップＳ７では、心拍情報として疲労度が分析されてもよい。このとき、図８に示すような処理が行われてもよい。この場合、次の点で第１実施形態と異なる。なお、図８に示すフローチャートにおいて、第１実施形態と同様の処理は同じ番号で示してある。
図８に示すステップＳ２１では、心拍情報が分析される。すなわち、図２に示すモニタ３０のマイクロ波ドップラーセンサ１０の分析部１７により、帯域情報（図４のＰ１〜Ｐ４参照）に基づいて、利用者Ｐ（図１参照）の心拍による微弱な体動が分析される。この結果、分析部１７により、帯域情報（図４のＰ１〜Ｐ４参照）に基づいて、心拍情報（図５参照）が分析される。ここで、心拍情報（図５参照）は、疲労度に関する情報である。例えば、心拍情報が図５に示す情報である場合、「（ＭＷＳＡのＰＳＤ強度）／（ＲＳＡのＰＳＤ強度）」の値で疲労度を表すことが可能である。
【００７２】
図８に示すステップＳ２２では、疲労度が所定値以上であるか否かが判断される。すなわち、図２に示すモニタ３０のマイクロ波ドップラーセンサ１０の処理部１３により、心拍情報（図５参照）が、分析部１７から受け取られ、パソコン本体６０の制御機器４０へ渡される。パソコン本体６０の制御機器４０の処理部４１により、心拍情報（図５参照）が、モニタ３０のマイクロ波ドップラーセンサ１０から受け取られる。処理部４１により、疲労度が所定値以上であるか否かが判断される。疲労度が所定値以上であると判断された場合、ステップＳ２３へ進められ、疲労度が所定値以上でないと判断された場合、ステップＳ１へ進められる。
【００７３】
図８に示すステップＳ２３では、警告が表示される。すなわち、図２に示すパソコン本体６０の制御機器４０の処理部４１により、休息すべき旨をモニタ３０の表示装置２０に表示させるための制御信号が生成される。処理部４１により、制御信号がモニタ３０の表示装置２０へ渡される。表示装置２０により、制御信号がパソコン本体６０の制御機器４０から受け取られる。表示装置２０により、制御信号に基づいて、休息すべき旨が表示される。
【００７４】
したがって、休息すべき旨がモニタ３０の表示画面（図示せず）に表示されるので、利用者Ｐ（図１参照）の休息を促すことができる。これに応じて、利用者Ｐ（図１参照）が休息することにより、利用者Ｐ（図１参照）の疲労度を低減することができる。なお、図８に示すステップＳ２３では、警告が表示される代わりに、警告音が鳴らされてもよい。あるいは、警告が表示されるとともに、警告音が鳴らされてもよい。
【００７５】
（Ｆ）図３に示すステップＳ７では、心拍情報として疲労度が分析されてもよい。このとき、図９に示すような処理が行われてもよい。この場合、次の点で第１実施形態と異なる。なお、図９に示すフローチャートにおいて、第１実施形態及び上記変形例（Ｅ）と同様の処理は同じ番号で示してある。
図９に示すステップＳ３１では、利用者による着席が行われる。すなわち、利用者Ｐ（図１参照）により、モニタ３０が閲覧可能である場所への着席が行われる。
【００７６】
図９に示すステップＳ３２では、疲労度が所定値以上であるか否かが判断される。すなわち、図２に示すモニタ３０のマイクロ波ドップラーセンサ１０の処理部１３により、心拍情報（図５参照）が、分析部１７から受け取られ、パソコン本体６０の制御機器４０へ渡される。パソコン本体６０の制御機器４０の処理部４１により、心拍情報（図５参照）が、モニタ３０のマイクロ波ドップラーセンサ１０から受け取られる。処理部４１により、疲労度が所定値以上であるか否かが判断される。あるいは、図２に示すモニタ３０のマイクロ波ドップラーセンサ１０の処理部１３により、疲労度が所定値以上であるか否かが判断される。疲労度が所定値以上であると判断された場合、ステップＳ３５へ進められ、疲労度が所定値以上でないと判断された場合、ステップＳ３３へ進められる。
【００７７】
図９に示すステップＳ３３では、モニタの電源がＯＮされているか否かが判断される。すなわち、図２に示すパソコン本体６０の制御機器４０の処理部４１により、モニタの電源がＯＮされているか否かが判断される。あるいは、モニタ３０のマイクロ波ドップラーセンサ１０の処理部１３により、モニタの電源がＯＮされているか否かが判断される。モニタの電源がＯＮされていると判断された場合、ステップＳ２へ進められ、モニタの電源がＯＮされていないと判断された場合、ステップＳ３４へ進められる。
【００７８】
図９に示すステップＳ３４では、モニタの電源がＯＮされる。すなわち、図２に示すパソコン本体６０の制御機器４０の処理部４１により、モニタの電源がＯＮされる。あるいは、モニタ３０のマイクロ波ドップラーセンサ１０の処理部１３により、モニタの電源がＯＮされる。
図９に示すステップＳ３５では、モニタの電源がＯＦＦされる。すなわち、図２に示すパソコン本体６０の制御機器４０の処理部４１により、モニタの電源がＯＦＦされる。あるいは、モニタ３０のマイクロ波ドップラーセンサ１０の処理部１３により、モニタの電源がＯＦＦされる。
【００７９】
したがって、疲労度に応じてモニタ３０を自動的にＯＮ／ＯＦＦするので、利用者Ｐ（図１参照）に疲労が蓄積することを防止することができる。
（Ｇ）心拍情報（図５参照）の検出の有無により、利用者Ｐ（図１参照）が不在であるか否かが検知されてもよい。すなわち、図１０に示すような処理が行われてもよい。この場合、次の点で第１実施形態と異なる。なお、図１０に示すフローチャートにおいて、第１実施形態及び上記変形例（Ｆ）と同様の処理は同じ番号で示してある。
【００８０】
図１０に示すステップＳ４１では、心拍情報が検出されているか否かが判断される。すなわち、図２に示すモニタ３０のマイクロ波ドップラーセンサ１０の処理部１３により、心拍情報（図５参照）が、分析部１７から受け取られ、パソコン本体６０の制御機器４０へ渡される。パソコン本体６０の制御機器４０の処理部４１により、心拍情報（図５参照）が、モニタ３０のマイクロ波ドップラーセンサ１０から受け取られる。処理部４１により、心拍情報（図５参照）が検出されているか否かが判断される。あるいは、図２に示すモニタ３０のマイクロ波ドップラーセンサ１０の処理部１３により、心拍情報（図５参照）が検出されているか否かが判断される。心拍情報が検出されていると判断された場合、ステップＳ３３へ進められ、心拍情報が検出されていないと判断された場合、ステップＳ３５へ進められる。
【００８１】
したがって、心拍情報が検出されていない場合にモニタ３０をＯＦＦするので、モニタ３０の消費電力を低減することができる。また、心拍情報が検出されている場合にモニタ３０をＯＮするので、利用者Ｐ（図１参照）がモニタ３０をＯＮする負担を低減することができる。
［第２実施形態］
本発明の第２実施形態に係る健康管理システム１００の概念図を図１１に示す。また、本発明の第２実施形態に係る健康管理システム１００の各構成要素の構成図を図１２に示す。図１１，図１２において、図１，図２の健康管理システム１の構成要素と同様の構成要素は同じ番号で示してある。図１１に示す健康管理システム１００は、主としてモニタ１３０を閲覧する利用者Ｐの健康を管理するためのシステムである。
【００８２】
この健康管理システム１００は、図１１，図１２に示すように、基本的な構造は第１実施形態と同様であり各構成要素は図２と同様であるが、図１１に示すモニタ１３０のマイクロ波ドップラーセンサ１１０の構成と、パソコン本体１６０の制御機器１４０の構成と、が第１実施形態と異なる。すなわち、図１２に示すように、モニタ１３０のマイクロ波ドップラーセンサ１１０は、処理部１３，抽出部１４，演算部１６及び分析部１７を備えていない。パソコン本体１６０の制御機器１４０は、抽出部１４２，演算部１４４及び分析部１４５をさらに備えている。
【００８３】
図１２に示すパソコン本体１６０の制御機器１４０の演算部１４４が、マイクロ波に関する信号を、モニタ１３０のマイクロ波ドップラーセンサ１１０の増幅部１５から処理部１４１経由で受け取る。制御機器１４０の演算部１４４が、反射波に関する信号を、モニタ１３０のマイクロ波ドップラーセンサ１１０の増幅部１５から処理部１４１経由で受け取る。制御機器１４０の演算部１４４が、変化情報（図４参照）を演算する。制御機器１４０の抽出部１４２が、変化情報（図４参照）を、処理部１４１経由で演算部１４４から受け取る。制御機器１４０の抽出部１４２が、変化情報（図４参照）に基づいて、帯域情報（図４のＰ１〜Ｐ４参照）を抽出する。制御機器１４０の分析部１４５が、帯域情報（図４のＰ１〜Ｐ４参照）に基づいて、利用者Ｐ（図１１参照）の心拍による微弱な体動を分析する。これにより、制御機器１４０の分析部１４５が、帯域情報（図４のＰ１〜Ｐ４参照）に基づいて、心拍情報（図５参照）を分析する。これらの点で第１実施形態と異なる。
【００８４】
体動情報を図１１に示す利用者Ｐに非接触で測定するので、利用者Ｐの心拍による微弱な体動を測定することにより、利用者Ｐの心拍に関する情報である心拍情報（図５参照）を利用者Ｐに非接触で測定することが可能である点は、第１実施形態と同様である。したがって、このような健康管理システム１００によっても、利用者Ｐの生体情報を測定するための装置を利用者Ｐに装着せずに連続的に利用者Ｐの健康を管理することが可能である。
【００８５】
［第３実施形態］
本発明の第３実施形態に係る健康管理システム２００の概念図を図１３に示す。また、本発明の第３実施形態に係る健康管理システム２００の各構成要素の構成図を図１４に示す。図１３，図１４において、図１，図２の健康管理システム１の構成要素と同様の構成要素は同じ番号で示してある。図１３に示す健康管理システム２００は、主としてモニタ２３０を閲覧する利用者Ｐの健康を管理するためのシステムである。
【００８６】
この健康管理システム２００は、図１３，図１４に示すように、基本的な構造は第１実施形態と同様であり各構成要素は図２と同様であるが、パソコン本体６０が備えられていない点と、図１３に示すモニタ２３０の構成と、で第１実施形態と異なる。すなわち、図１４に示すように、モニタ２３０は、制御機器２４０をさらに備える。制御機器２４０は、主として処理部２４１を備える。制御機器２４０の処理部２４１が、心拍情報（図５参照）を、マイクロ波ドップラーセンサ１０から受け取る。処理部２４１が、心拍情報（図５参照）を表示装置２０に表示させるための制御信号を生成する。処理部２４１が、制御信号を表示装置２０へ渡す。これらの点で第１実施形態と異なる。
【００８７】
体動情報を図１３に示す利用者Ｐに非接触で測定するので、利用者Ｐの心拍による微弱な体動を測定することにより、利用者Ｐの心拍に関する情報である心拍情報（図５参照）を利用者Ｐに非接触で測定することが可能である点は、第１実施形態と同様である。したがって、このような健康管理システム２００によっても、利用者Ｐの生体情報を測定するための装置を利用者Ｐに装着せずに連続的に利用者Ｐの健康を管理することが可能である。
【００８８】
＜第３実施形態の変形例＞
（Ａ）図１４に示すように、モニタ２３０は、記憶機器５０をさらに備えてもよい。健康管理システム２００は、入力機器２７０をさらに備えてもよい。このとき、モニタ３０の制御機器２４０は、受信部２４６をさらに備えてもよい。これにより、入力機器２７０に入力された情報は、無線回線を経由して制御機器２４０の受信部２４６で受信されることになる。
【００８９】
（Ｂ）図１４に示すモニタ２３０のマイクロ波ドップラーセンサ１０は、処理部１３，抽出部１４，増幅部１５，演算部１６及び分析部１７を備えなくてもよい。その代わりに、図１２に示すように、制御機器２４０が、抽出部１４２，増幅部１４３，演算部１４４及び分析部１４５をさらに備えてもよい。
［第４実施形態］
本発明の第４実施形態に係る健康管理システム３００の概念図を図１５に示す。また、本発明の第４実施形態に係る健康管理システム３００の各構成要素の構成図を図１６に示す。図１５，図１６において、図１，図２の健康管理システム１の構成要素と同様の構成要素は同じ番号で示してある。図１５に示す健康管理システム３００は、主としてモニタ３０ａ，３０ｂ，・・・を閲覧する利用者Ｐａ，Ｐｂ，・・・の健康を管理するためのシステムである。モニタ３０ａ，３０ｂ，・・・は、デスクＤａ，Ｄｂ，・・・上に置かれ、利用者Ｐａ，Ｐｂ，・・・により閲覧されている。
【００９０】
この健康管理システム３００は、図１５，図１６に示すように、基本的な構造は第１実施形態と同様であり各構成要素は図２と同様であるが、管理センタ３９０がさらに備えられている点と、利用者Ｐａ，Ｐｂ，・・・が複数存在する点とで、第１実施形態と異なる。
すなわち、図１６に示す入力機器７０ａ，・・・に、識別情報が入力される。ここで、識別情報は、利用者Ｐａ，Ｐｂ，・・・（図１５参照）を識別するための情報である。パソコン本体６０ａ，・・・の制御機器４０ａ，・・・の処理部４１ａ，・・・が、識別情報を入力機器７０ａ，・・・から受け取る。また、制御機器４０ａ，・・・では、利用者Ｐａ，Ｐｂ，・・・（図１５参照）の認証が行われる。
【００９１】
図１５に示す各利用者Ｐａ，Ｐｂ，・・・のパソコン本体６０ａ，６０ｂ，・・・と管理センタ３９０とは、ネットワーク３８０で接続されている。図１６に示す管理センタ３９０が、識別情報と心拍情報（図５参照）とを、パソコン本体６０ａ，・・・の制御機器４０ａ，・・・の処理部４１ａ，・・・からネットワーク３８０経由で受け取る。管理センタ３９０が、複数の利用者Ｐａ，Ｐｂ，・・・（図１５参照）の心拍情報（図５参照）をネットワーク３８０経由で管理する。例えば、図１７のグラフ９１，９２，・・・で示される情報を管理センタ３９０で管理することができる。図１７に示すグラフ９１，９２，・・・は、それぞれ利用者Ｐａ，Ｐｂ，・・・（図１５参照）の疲労度の時間的な変化の傾向を示している。このグラフ９１，９２，・・・を参照することにより、利用者Ｐａの疲労度には問題がないが、利用者Ｐｂは疲労度が閾値Ｋ１に近づいており疲労が蓄積していることが分かる。したがって、複数の利用者Ｐａ，Ｐｂ，・・・の心拍情報（図５参照）をネットワーク３８０経由で管理するので、複数の利用者Ｐａ，Ｐｂ，・・・の心拍情報（図５参照）を集中的に管理することが可能である。これらの点で第１実施形態と異なる。
【００９２】
体動情報を図１５に示す利用者Ｐａ，Ｐｂ，・・・に非接触で測定するので、利用者Ｐａ，Ｐｂ，・・・の心拍による微弱な体動を測定することにより、利用者Ｐａ，Ｐｂ，・・・の心拍に関する情報である心拍情報（図５参照）を利用者Ｐａ，Ｐｂ，・・・に非接触で測定することが可能である点は、第１実施形態と同様である。したがって、このような健康管理システム３００によっても、利用者Ｐａ，Ｐｂ，・・・の生体情報を測定するための装置を利用者Ｐａ，Ｐｂ，・・・に装着せずに連続的に利用者Ｐａ，Ｐｂ，・・・の健康を管理することが可能である。
【００９３】
＜第４実施形態の変形例＞
（Ａ）管理センタ３９０では、利用者Ｐａ，Ｐｂ，・・・の心拍情報（図５参照）の日々の傾向が分析及び管理されてもよい。また、管理センタ３９０では、利用者Ｐａ，Ｐｂ，・・・の疲労度を分析し、利用者Ｐａ，Ｐｂ，・・・の疲労度の蓄積が見られると判断したときは、作業を中止する旨の命令を利用者Ｐａ，Ｐｂ，・・・に自動的に送信するようにしてもよい。管理センタ３９０は、会社の健康管理センタのようなものであってもよいし、医療機関であってもよい。管理センタ３９０は、会社の健康管理センタのようなものである場合、医療機関と連携して利用者Ｐａ，Ｐｂ，・・・の心拍情報（図５参照）を管理してもよい。
【００９４】
（Ｂ）図１６に示すように、パソコン本体６０ａ，６０ｂ，・・・は、記憶機器５０ａ，・・・をさらに備えてもよい。
【産業上の利用可能性】
【００９５】
本発明にかかるモニタ、健康管理システム及び健康管理方法は、利用者の生体情報を測定するための装置を利用者に装着せずに連続的に利用者の健康を管理することができるという効果を有し、モニタ、健康管理システム及び健康管理方法等として有用である。
【図面の簡単な説明】
【００９６】
【図１】本発明の第１実施形態による健康管理システムの概念図。
【図２】本発明の第１実施形態による健康管理システムの構成要素の構成図。
【図３】健康管理システムがモニタを閲覧する利用者の健康を管理する処理の流れを示すフローチャート。
【図４】変化情報の構成を示す概念図。
【図５】心拍情報の構成を示す概念図。
【図６】健康管理システムがモニタを閲覧する利用者の健康を管理する処理の流れを示すフローチャート。
【図７】記憶機器に記憶された情報の構成を示す概念図。
【図８】健康管理システムがモニタを閲覧する利用者の健康を管理する処理の流れを示すフローチャート。
【図９】健康管理システムがモニタを閲覧する利用者の健康を管理する処理の流れを示すフローチャート。
【図１０】健康管理システムがモニタを閲覧する利用者の健康を管理する処理の流れを示すフローチャート。
【図１１】本発明の第２実施形態による健康管理システムの概念図。
【図１２】本発明の第２実施形態による健康管理システムの構成要素の構成図。
【図１３】本発明の第３実施形態による健康管理システムの概念図。
【図１４】本発明の第３実施形態による健康管理システムの構成要素の構成図。
【図１５】本発明の第４実施形態による健康管理システムの概念図。
【図１６】本発明の第４実施形態による健康管理システムの構成要素の構成図。
【図１７】管理センタで管理される情報を示す概念図。
【符号の説明】
【００９７】
１，１００，２００，３００  健康管理システム
１０，１１０，１０ａ等  マイクロ波ドップラーセンサ
２０，２０ａ等  表示装置
３０，１３０，２３０，３０ａ等  モニタ
４０，１４０，２４０，４０ａ等  制御機器
５０，５０ａ等  記憶機器
６０，１６０，６０ａ等  パソコン本体
７０，２７０，７０ａ等  入力機器
Ｐ，Ｐａ等  利用者
Ｄ，Ｄａ等  デスク
【図１】
2005237568.tif 000003
【図２】
2005237568.tif 000004
【図３】
2005237568.tif 000005
【図４】
2005237568.tif 000006
【図５】
2005237568.tif 000007
【図６】
2005237568.tif 000008
【図７】
2005237568.tif 000009
【図８】
2005237568.tif 000010
【図９】
2005237568.tif 000011
【図１０】
2005237568.tif 000012
【図１１】
2005237568.tif 000013
【図１２】
2005237568.tif 000014
【図１３】
2005237568.tif 000015
【図１４】
2005237568.tif 000016
【図１５】
2005237568.tif 000017
【図１６】
2005237568.tif 000018
【図１７】
2005237568.tif 000019